(57)【要約】【課題】  解像度や撮影範囲に対応する断層画像を効率的に撮像する。【解決手段】  解像度を選択する手段と、  選択された解像度に応じた中心波長の撮影光の断層画像をそれぞれ取得する断層像取得手段と、を有する。【選択図】  図１
2013208393.tif 000002
【特許請求の範囲】
【請求項１】
解像度を選択する手段と、
選択された前記解像度に応じた中心波長の撮影光の断層画像をそれぞれ取得する断層像取得手段と、
備えることを特徴とする光干渉断層装置。
【請求項２】
前記解像度は選択された部位に対応していることを特徴とする請求項１に記載の光干渉断層装置。
【請求項３】
前記断層画像は被検眼の眼底の断層像であり、前記被検眼の眼底画像を撮影する眼底撮影手段と、
前記眼底画像を表示手段の第１の領域に表示させるとともに、前記断層画像を前記表示手段の第２の領域に表示させる表示制御手段と
を更に備え、
前記撮影光の中心波長が所定値よりも長波長である場合には前記第２の領域を拡張し、拡張された前記第２の領域に前記断層画像を表示させることを特徴とする請求項１又は２に記載の光干渉断層装置。
【請求項４】
前記断層像取得手段は、第一の中心波長として９８０〜１２００ｎｍ、第二の中心波長として８４０〜９００ｎｍのいずれかを少なくとも選択することを特徴とする請求項１乃至３のいずれか一項に記載の光干渉断層装置。
【請求項５】
前記第２の領域は前記第１の領域より垂直方向において広いことを特徴とする請求項２乃至４のいずれか一項に記載の光干渉断層装置。
【請求項６】
前記第２の領域が拡張された場合に前記第１の領域および前記眼底画像は縮小されることを特徴とする請求項５記載の光干渉断層装置。
【請求項７】
前記表示制御手段は、前記断層画像に含まれる前記被検眼の眼底組織の画像が前記第２の領域の上端に接する場合には前記表示手段に表示された前記断層画像を垂直方向にスクロール可能なスクロールバーを表示させることを特徴とする請求項３乃至６のいずれか１項に記載の光干渉断層装置。
【請求項８】
前記スクロールバーでのスクロールに対する画像の移動範囲を前記撮影光の中心波長が長くなるに応じて広げることを特徴とする請求項７に記載の光干渉断層装置。
【請求項９】
前記選択する手段は、解像度に応じて発光する光源を選択することを特徴とする請求項１乃至８のいずれか一項に記載の光干渉断層装置。
【請求項１０】
光源の中心波長を変更する手段を更に備え、
前記選択された解像度に応じて前記中心波長を変更することを特徴とする請求項１乃至８のいずれか一項に記載の光干渉断層装置。
【請求項１１】
前記断層像取得手段は、ＳＳ−ＯＣＴ及びＳＤ−ＯＣＴで構成され、前記第一の中心波長はＳＳ−ＯＣＴでの撮影光，前記第二の中心波長はＳＤ−ＯＣＴでの撮影光として選択されることを特徴とする請求項１乃至１０のいずれか一項に記載の光干渉断層装置。
【請求項１２】
前記断層像取得手段は撮影光学系を有し、選択された解像度に応じてフォーカスレンズの位置を変更することを特徴とする請求項１乃至１１のいずれか一項に記載の光干渉断層装置。
【請求項１３】
前記断層像取得手段は、共通の撮影光路を有するＳＳ−ＯＣＴ及びＳＤ−ＯＣＴで構成され、前記ＳＳ−ＯＣＴでの撮影光を反射して，前記ＳＤ−ＯＣＴでの撮影光を透過するダイクロックミラーを有することを特徴とする請求項１乃至１２のいずれか一項に記載の光干渉断層装置。
【発明の詳細な説明】
【技術分野】
【０００１】
本発明は、光干渉撮影装置に関し、特に複数の異なる中心波長の光でそれぞれ断層像を撮影する装置に関する。
【背景技術】
【０００２】
光干渉断層計（ＯＣＴ；Ｏｐｔｉｃａｌ  Ｃｏｈｅｒｅｎｃｅ  Ｔｏｍｏｇｒａｐｈｙ）などの眼部の光干渉断層撮影装置は、網膜層内部の状態を三次元的に観察することが可能である。この光干渉断層撮影装置は、疾病の診断をより的確に行うのに有用であることから近年注目を集めている。
【０００３】
ＯＣＴの形態として、例えば、広帯域な光源とマイケルソン干渉計を組み合わせたＴＤ−ＯＣＴ（Ｔｉｍｅ  ｄｏｍａｉｎ  ＯＣＴ）がある。これは、参照アームの遅延を走査することで、信号アームの後方散乱光と参照アームからの光との干渉光を計測し、深さ分解の情報を得るように構成されている。しかし、このようなＴＤ−ＯＣＴでは高速な画像取得は難しい。そのため、より高速に画像を取得する方法として、広帯域光源を用い、分光器でインターフェログラムを取得するＯＣＴとして、ＳＤ−ＯＣＴ（Ｓｐｅｃｔｒａｌ  ｄｏｍａｉｎ  ＯＣＴ）が知られている。また、光源として、高速波長掃引光源を用いることで、単一チャネル光検出器でスペクトル干渉を計測する手法によるＳＳ−ＯＣＴ（Ｓｗｅｐｔ  Ｓｏｕｒｃｅ  ＯＣＴ）が知られている（特許文献１）。
【０００４】
また、ＯＣＴを用いた光干渉断層撮影装置では、撮影領域に応じて光の進行方向の撮影範囲を重視する撮影と、解像度を重視する撮影とを両立する装置の開発が進められようとしている。
【０００５】
なお、ＳＤ−ＯＣＴにより取得された断層画像と眼底画像とを並べて表示手段に表示することが知られている（特許文献２）。
【先行技術文献】
【特許文献】
【０００６】
【特許文献１】米国特許第５３２１５０１号公報
【特許文献２】特開２００７−１１７７１４号公報
【発明の概要】
【発明が解決しようとする課題】
【０００７】
しかしながら、波長の二乗に比例して解像度は落ちる。またその一方で深さ方向の撮影範囲は長波長になるほど広くなる。そのため、解像度や撮影範囲に対応する断層画像を効率的に撮像することが困難であった。
【０００８】
本発明は、異なる解像度や撮影範囲に対応する断層画像を効率的に撮像することを目的の一つとする。
【０００９】
また、ＳＳ−ＯＣＴ等で取得した広画角かつ深さ方向に深い断層画像を効率的に提示することも本発明の目的の一つとすることができる。
【００１０】
なお、前記目的に限らず、後述する発明を実施するための形態に示す各構成により導かれる作用効果であって、従来の技術によっては得られない作用効果を奏することも本発明の他の目的の一つとすることができる。
【課題を解決するための手段】
【００１１】
本発明の光干渉断層装置は、
解像度を選択する手段と、
選択された前記解像度に応じた中心波長の撮影光の断層画像をそれぞれ取得する断層像取得手段と、
備えることを備える。
【発明の効果】
【００１２】
本発明によれば、解像度や撮影範囲に対応する断層画像を効率的に撮像することができる。
【図面の簡単な説明】
【００１３】
【図１】第１の実施形態における光干渉断層装置の構成の一例を示す概略図である。
【図２】本光干渉断層装置で撮像された断層画像の一例を示す図である。
【図３】本実施形態における本光干渉断層装置の処理動作の一例を示すフローチャートである。
【図４】第１の実施形態における表示部１９２における表示例を示す図である。
【図５】第１の実施形態における表示部１９２における表示例を示す図である。
【図６】第１の実施形態における表示部１９２における表示例を示す図である。
【図７】第１の実施形態における表示部１９２における表示例を示す図である。
【図８】第１の実施形態における表示部１９２における表示例を示す図である。
【図９】本実施形態における表示部１９２における表示例を示す図である。
【発明を実施するための形態】
【００１４】
本発明に係る装置は、被検眼、皮膚、内臓等の被検体に適用することができる。また、本発明に係る装置としては、例えば、眼科装置や内視鏡等である。以下、本発明の一例として、本実施形態に係る光干渉断層装置について、図面を用いて詳細に説明する。
【００１５】
（第１の実施形態）
［装置の全体構成］
図１は、本実施形態における眼科装置の構成の一例を示す概略図である。
【００１６】
本装置は、断層像取得手段としての第一のＯＣＴとしてＳＳ−ＯＣＴ（Ｓｗｅｐｔ  Ｓｏｕｒｃｅ  ＯＣＴ；以下、単にＯＣＴという場合がある）１００、第一のＯＣＴよりも光源の波長が短波長である断層像取得手段としての第二のＯＣＴ１４０、眼底部撮像部１６０、内部固視灯１７０、制御部２００から構成される。
【００１７】
内部固視灯１７０を点灯して被検眼に注視させた状態で、眼底部撮像部１６０により観察される被検眼の前眼部の画像を用いて、装置のアライメントが行われる。アライメント完了後に、第一のＯＣＴ１００と第二のＯＣＴ１４０による眼底の撮像が行われる。
【００１８】
＜第一のＯＣＴ１００の構成＞
第一のＯＣＴ１００の構成の一例について説明する。
【００１９】
第一のＯＣＴ１００は被検眼の断層画像を取得する断層画像取得手段の一例に相当する。
【００２０】
光源１０１は、可変波長光源であり、
中心波長λｃおよびスペクトル半値全幅Δλが、
λｃ／Δλ≦１５
λｃ＋（Δλ／２）≦１２００ｎｍ
λｃ−（Δλ／２）≧９８０  ｎｍとする。
【００２１】
第一の中心波長として中心波長が９８０〜１２００ｎｍの光を出射する。
【００２２】
光源１０１から出射される光の波長は制御部１９１によって制御される。より具体的には、断層画像を取得する際に、制御部１９１によって光源１０１から出射される光の波長は掃引される。光源１０１から出射された光は、ファイバ１０２、偏光コントローラ１０３を介して、ファイバカップラ１０４に導かれ、光量を測定するファイバ１３０とＯＣＴ測定するファイバ１０５に分岐される。光源１０１から出射された光は、ファイバ１３０を介し、ＰＭ（Ｐｏｗｅｒ  Ｍｅｔｅｒ）１３１にてパワーが測定される。ファイバ１０５を介した光は、第二のファイバカップラ１０６に導かれる。ファイバカップラ１０６において、光は、測定光（ＯＣＴ測定光とも言う）と参照光に分岐される。
【００２３】
偏光コントローラ１０３は、光源１０１から出射された光の偏光の状態を調整するものであり、直線偏光に調整される。ファイバカップラ１０４の分岐比は、９９：１であり、ファイバカップラ１０６の分岐比は、９０（参照光）：１０（測定光）である。なお、分岐比はこれらの値に限定されるものではなく、他の値とすることも可能である。
【００２４】
ファイバカップラ１０６で分岐された測定光は、ファイバ１１８を介してコリメータ１１７から平行光として出射される。出射された測定光は、眼底Ｅｒにおいて測定光を水平方向（紙面上下方向）にスキャンするガルバノミラーから構成されるＸスキャナ１０７、レンズ１０８を介してレンズ１０９に到達する。さらに、レンズ１０９からの測定光は眼底Ｅｒにおいて測定光を垂直方向（紙面奥行き方向）にスキャンするガルバノミラーから構成されるＹスキャナ１１０を介し、ダイクロイックミラー１１１に到達する。ここで、Ｘスキャナ１０７、Ｙスキャナ１１０は、駆動制御部１８０により制御され、眼底Ｅｒで所望の範囲の領域を測定光により走査することができる。ダイクロイックミラー１１１は、例えば９５０ｎｍ〜１３００ｎｍの光を反射し、それ以外の光を透過する特性を有する。
【００２５】
ダイクロイックミラー１１１により反射された測定光は、レンズ１１２を介し、ステージ１１６上に乗ったフォーカスレンズ１１４に到達する。フォーカスレンズ１１４で測定光は、被検体である眼の前眼部Ｅａを介し、眼底Ｅｒの網膜層にフォーカスされる。眼底Ｅｒを照射した測定光は各網膜層で反射・散乱し、上述の光学経路を介してファイバカップラ１０６に戻る。眼底Ｅｒからの測定光はファイバカップラ１０６からファイバ１２５を介し、ファイバカップラ１２６に到達する。
【００２６】
なお、フォーカスレンズ１１４の光軸方向への移動は駆動制御部１８０により制御される。また、本実施形態ではフォーカスレンズ１１４は第一のＯＣＴ１００と第二のＯＣＴ１４０と共通に用いられているが、これに限定されるものではなく、それぞれの光学系に別々にフォーカスレンズを備えることとしてもよい。また、フォーカスレンズの駆動制御部１８０による制御は光源１０１が用いる波長と光源１４１が用いる波長との違いに基づいてフォーカスレンズを駆動することとしてもよい。例えば、第一のＯＣＴ１００と第二のＯＣＴ１４０とに共通でフォーカスレンズが設けられている場合、駆動制御部１８０は第二のＯＣＴ１４０による撮影と第一のＯＣＴ１００による撮影とが切り替えられると、波長の違いに応じてフォーカスレンズ１１４を移動させる。また、フォーカスレンズが第一のＯＣＴ１００および第二のＯＣＴ１４０のそれぞれの光学系に設けられている場合、一方の光学系のフォーカスレンズが調整されると駆動制御部１８０は波長の違いに応じて他方の光学系のフォーカスレンズを移動させる。
【００２７】
一方、ファイバカップラ１０６で分岐された参照光は、ファイバ１１９を介してコリメータ１２０−ａから平行光として出射される。出射された参照光は分散補償ガラス１２１を介し、コヒーレンスゲートステージ１２２上のミラー１２３−ａ、１２３−ｂで反射され、コリメータ１２０−ｂ、ファイバ１２４を介し、ファイバカップラ１２６に到達する。コヒーレンスゲートステージ１２２は、被検眼の眼軸長の相違等に対応する為、駆動制御部１８０で制御される。
【００２８】
ファイバカップラ１２６に到達した測定光と参照光とは合波されて干渉光となり、ファイバ１２７、１２８を経由し、光検出器である差動検出器（ｂａｌａｎｃｅｄ  ｒｅｃｅｉｖｅｒ）１２９によって干渉信号が電気信号に変換される。変換された電気信号は信号処理部１９０で解析される。なお、光検出器は差動検出器に限定されるものではなく、他の検出器を用いることとしてもよい。
【００２９】
また、ファイバカップラ１２６において測定光と参照光とが干渉する構成となっているが、これに限定されるものではない。例えば、ミラー１２３−ａを参照光をファイバ１１９へ反射するように配置し、ファイバカップラ１０６において測定光と参照光とを干渉させることとしてもよい。この場合ミラー１２３−ｂ、コリメータ１２０−ｂ、ファイバ１２４およびファイバカップラ１２６は不要となる。なお、この際にはサーキュレータを用いることが好ましい。
【００３０】
＜第二のＯＣＴ１４０の構成＞
第二のＯＣＴ１４０の構成の一例について説明する。
【００３１】
第二のＯＣＴ１４０の光源の波長は第一のＯＣＴ１００の光源波長よりも短波長である。この実施例では第二の中心波長として中心波長が８４０〜９００ｎｍであり、バンド幅１００ｎｍの光を出射する光源を用いる。ＯＣＴの構成は，第一のＯＣＴ１００と同様にＳＳ−ＯＣＴを用いてもよいがＳＤ−ＯＣＴ（Ｓｐｅｃｔｒａｌ  ｄｏｍａｉｎ  ＯＣＴ）を用いることとする。その構成は公知であるので説明を省略する。
【００３２】
＜眼底撮像部１６０＞
眼底撮影手段としての眼底部撮像部１６０の構成の一例について説明する。
【００３３】
眼底部撮像部１６０は、レンズ１６２、１６３、１６４および眼底カメラ１６５を備える。
【００３４】
例えば波長９２０ｎｍの照明光を発するＬＥＤ１１５−ａ、１１５−ｂから成る照明光源１１５は前眼部Ｅａを照射する。前眼部Ｅａで反射され光は、フォーカスレンズ１１４、レンズ１１２、ダイクロイックミラー１１１、１５４を介し、ダイクロイックミラー１６１に達する。ダイクロイックミラー１６１は、例えば９２０ｎｍの光を反射し、それ以外の光を透過する特性を有する。ダイクロイックミラー１６１で反射された光は、レンズ１６２、１６３、１６４を介し、眼底カメラ１６５で受光される。眼底カメラ１６５で受光された光は、電気信号に変換され、信号処理部１９０で受ける。
【００３５】
＜内部固視灯１７０＞
内部固視灯１７０について説明する。
【００３６】
内部固視灯１７０は、表示部１７１、レンズ１７２で構成される。表示部１７１としては例えば複数の発光ダイオード（ＬＤ）がマトリックス状に配置されたものを用いる。発光ダイオードの点灯位置は、駆動制御部１８０の制御により撮像したい部位に合わせて変更される。表示部１７１からの光は、レンズ１７２を介し、被検眼に導かれる。表示部１７１から出射される光は例えば５２０ｎｍで、駆動制御部１８０により所望のパターンが表示される。
【００３７】
＜制御部２００＞
制御部２００について説明する。
【００３８】
制御部２００は、駆動制御部１８０、信号処理部１９０、制御部１９１、表示部１９２から構成される。
【００３９】
駆動制御部１８０は、上述の通り各部を制御する。
【００４０】
信号処理部１９０は、差動検出器１２９、ＡＰＤ１５２、眼底カメラ１６５からそれぞれ出力される信号に基づき、画像の生成、生成された画像の解析、解析結果の可視化情報の生成を行う。なお、画像の生成などの詳細については、後述する。
【００４１】
制御部１９１は、本装置全体を制御すると共に、信号処理部１９０で生成された画像等を表示部１９２の表示画面に表示する。表示部１９２は表示手段または表示装置の一例に相当する。なお、信号処理部１９０で生成された画像データは、制御部１９１に有線で送信されても良いし、無線で送信されても良い。
【００４２】
表示部１９２は、例えば、液晶等のディスプレイである。表示部１９２は、制御部１９１の制御の下、後述するように種々の情報を表示する。なお、制御部１９１からの画像データは、表示部１９２に有線で送信されても良いし、無線で送信されても良い。また、表示部１９２等は、制御部２００に含まれているが、本発明はこれに限らず、制御部２００とは別に設けられても良い。
【００４３】
また、制御部１９１と表示部１９２とを一体的に構成した、ユーザが持ち運び可能な装置の一例であるタブレットでも良い。この場合、表示部１９２にタッチパネル機能を搭載させ、タッチパネル上で画像の表示位置の移動、拡大縮小、表示される画像の変更等の操作可能に構成することが好ましい。なお、制御部１９１と表示部１９２とが一体的に構成された場合でなくとも表示部１９２にタッチパネル機能を搭載させてもよい。すなわち、指示装置としてタッチパネルを用いることとしてもよい。
【００４４】
［画像処理］
次に、信号処理部１９０における画像生成、画像解析について説明する。
【００４５】
＜断層画像生成、及び、眼底画像生成＞
信号処理部１９０は、差動検出器１２９から出力された干渉信号に対して、一般的な再構成処理を行うことで、断層画像を生成する。同様に第二のＯＣＴ装置１４０の干渉信号に対して、一般的な再構成処理を行うことで、断層画像を生成する。まず、信号処理部１９０は、干渉信号から固定パターンノイズ除去を行う。固定パターンノイズ除去は例えば検出した複数のＡスキャン信号を平均することで固定パターンノイズを抽出し、これを入力した干渉信号から減算することで行われる。
【００４６】
次に、信号処理部１９０は、有限区間でフーリエ変換した場合にトレードオフの関係となる、深さ分解能とダイナミックレンジとを最適化するために、所望の窓関数処理を行う。次に、ＦＦＴ処理を行う事によって、断層画像を生成する。
【００４７】
図２（Ａ）に、第二のＯＣＴ１４０で撮像され、信号処理部１９０で生成された断層画像の一例を示す。図２（Ｂ）に第一のＯＣＴ１００で撮像され、信号処理部１９０で生成された断層画像の一例を示す。
【００４８】
図２（Ａ）は正常眼の断層画像の一例であり、図２（Ｂ）は近視眼の断層画像の一例であり、網膜色素上皮―脈絡膜境界２０１と脈絡膜―強膜境界２０２他の各層境界が撮像されている。図に示すように、第二のＯＣＴ１４０によれば、第一にＯＣＴに比べて高解像度の断層画像の撮像が可能となる。また第一のＯＣＴ１００によれば、深さ方向に深い（図の縦方向の大きさが大きいとの意味）断層画像の撮像が可能である。なお、断層画像を表示部１９２の表示領域に表示する場合、断層自体の画像が無い領域を表示しても意味が無い。そこで、本実施形態では、制御部１９１は、信号処理部１９０内のメモリに展開されたデータから断層自体の画像の部分を認識し、表示領域の大きさに合う断層画像を切り出して表示するようにしている。なお、断層自体の画像とは被検眼の眼底組織の画像を指す。
【００４９】
＜セグメンテーション＞
信号処理部１９０は、前述した輝度画像を用いて断層画像のセグメンテーションを行う。
【００５０】
まず、信号処理部１９０は、処理の対象とする断層画像に対して、メディアンフィルタとＳｏｂｅｌフィルタをそれぞれ適用して画像を作成する（以下、それぞれメディアン画像、Ｓｏｂｅｌ画像ともいう）。次に、作成したメディアン画像とＳｏｂｅｌ画像から、Ａスキャン毎にプロファイルを作成する。メディアン画像では輝度値のプロファイル、Ｓｏｂｅｌ画像では勾配のプロファイルとなる。そして、Ｓｏｂｅｌ画像から作成したプロファイル内のピークを検出する。検出したピークの前後やピーク間に対応するメディアン画像のプロファイルを参照することで、網膜層の各領域の境界を抽出する。
【００５１】
更に、Ａスキャンラインの方向に各層厚をそれぞれ計測し、各層の層厚マップを作成する。
【００５２】
［処理動作］
次に本光干渉断層装置による処理動作の一例について説明する。
【００５３】
図３は、本光干渉断層装置の処理動作の一例を示すフローチャートである。
【００５４】
＜調整＞
まず、ステップＳ１０１において、被検眼を本装置に配置した状態で、本装置と被検眼とのアライメントを行う。アライメントの説明に関して、本実施形態に特有な処理について説明し、ワーキングディスタンス、フォーカス、コヒーレンスゲートの調整等は一般的であるのでその説明は省略する。
【００５５】
（ＯＣＴ撮像位置の調整）
図４、図５は、調整時または撮影後に表示部１９２に表示されるウィンドウ４００の一例を示している。
【００５６】
まず、操作者がマウス等の指示装置（不図示）を用いてカーソルで、領域４１２又は領域４１３を指示することにより撮像モードとして、２Ｄ撮像モード（図４参照）又は３Ｄ撮像モード（図５参照）を指示する。同時に、低解像度撮影４１２０（図４参照）か高解像度撮影４１３０（図５参照）かを不図示の指示装置（不図示）で選択する。つまり、選択された解像度に応じて光源の中心波長が第二の中心波長であるか、第二の中心波長よりも長波長である第一の中心波長かを選択する。ここで、解像度を撮影部位に対応させて選択された部位に応じて解像度を変更しても良い。例えば、前眼部撮影なら低解像度で、眼底部なら高解像度を選択する。
【００５７】
指示に基づき撮像モード及び解像度が設定され、設定された撮像モード及び解像度が領域４１０に表示され、眼底カメラ１６５で撮像されて信号処理部１９０で生成された眼底画像（輝度画像）４１１が表示される。ここで、眼底画像４１１の外枠で規定される領域は眼底画像の表示領域である。以下、領域４１０内の眼底画像の表示領域を眼底画像表示領域という場合がある。ここで、眼底画像表示領域は第１の領域の一例に相当する。なお、眼底画像４１１は調整時の動画像または撮影後の画像である。
【００５８】
撮像モードに応じて、眼底画像４１１上に、第一のＯＣＴ１００或いは第二のＯＣＴ１４０の撮像範囲を示す直線４１５又は矩形４１６が重畳表示される。ここで、第一のＯＣＴ１００が選択されている場合には第二のＯＣＴ１４０が選択されている場合よりも撮像範囲を示す範囲が大きくなるように制御されている。つまり、第一の中心波長が選択されている場合には第二の中心波長が選択されている場合よりも撮像範囲を示す範囲が大きくなるように制御されている。
【００５９】
ここで、眼底画像４１１に表示される撮像範囲を示す表示は直線や矩形に限定されるものではない。例えば、サークルスキャンが行われる場合には円が眼底画像４１１上に表示される。なお、図４における断層画像４３１は調整時の動画像または撮影後の画像である。断層画像４３１は被検眼の黄斑および視神経乳頭を含んでいる。
【００６０】
図５における断層画像４３８は調整時の動画像または撮影後の画像である。ここで、断層画像４３１，４３８の外枠で規定される領域は断層画像の表示領域である。以下、領域４３０内の断層画像の表示領域を断層画像表示領域という場合がある。ここで、断層画像表示領域は第１の領域の上または下に位置するとともに第１の領域よりも水平方向において広い領域である第２の領域の一例に相当する。
【００６１】
なお、断層画像表示領域は眼底画像表示領域よりも垂直方向（表示部１９２上下方向）において広い領域としてもよい。すなわち、第２の領域は第１の領域より垂直方向において広いこととしてもよい。
【００６２】
図４，５に示すように、選択されたＯＣＴに応じて断層画像表示領域の大きさを変更してもよい。具体的には第一のＯＣＴ１００が選択された場合、図４のように断層画像表示領域の横幅を広くし、第一のＯＣＴ１４０が選択された場合、図５のように断層画像表示領域の横幅を狭くすることとしてもよい。
【００６３】
撮像範囲は、操作者がマウス等の指示装置（不図示）によって指示される。即ち、指示装置で直線４１５や矩形４１６の大きさ設定や位置調整を行うことで、駆動制御部１８０によるスキャナの駆動角度を制御することにより撮像する範囲を決定する。
【００６４】
また、撮像範囲が所定値を超える場合には第一のＯＣＴ１００、つまり第一の中心波長の光が自動的に選択されるように制御される。
【００６５】
撮像範囲の指示方法としては、２Ｄ撮像モードが選択された場合、眼底画像４１１から黄斑および視神経乳頭を自動抽出して、黄斑および視神経乳頭を通る直線を初期の断層画像取得位置とすることとしてもよい。また、指示装置を用いて、眼底画像４１１上の２点を指定することで、２点を結ぶ直線を断層画像取得位置とすることとしてもよい。
【００６６】
なお、図４の例は１枚の断層画像を撮像する場合の例であるが、図５の例は３次元の画像を取得することとなり、領域の中心付近の１枚の断層画像４３２が領域４３０に表示される。なお、断層画像４３８は矩形４１６の中心付近の断層画像に限定されるものではなく、矩形４１６の端部の断層画像であってもよい。矩形４１６のどの位置の段像画像を表示させるかは検査者により予め設定できるようにしてもよい。
【００６７】
＜撮像＞〜＜解析＞
ステップＳ１０２において、操作者からの撮像指示に基づき、光源１０１、光源１７１からそれぞれ測定光を出射する。なお、光源１０１から出射される光の波長は制御部１９１により掃引される。そして、網膜Ｅｒからの戻り光を、差動検出器１２９で受光して、信号処理部１９０で、前述の通り各画像の生成（ステップＳ１０３）及び画像解析（ステップＳ１０４）が行われる。第二のＯＣＴ１４０が選択されている場合にも信号処理部１９０で、前述の通り各画像の生成（ステップＳ１０３）及び画像解析（ステップＳ１０４）が行われる。
【００６８】
＜出力＞
生成した各画像及び解析した結果の出力処理ステップＳ１０５について説明する。
【００６９】
信号処理部１９０において、各画像の生成及び解析が終了すると、その結果に基づき、制御部１９１は、出力情報を生成し、表示部１９２に出力して表示を行う。以下に表示部１９２における表示例について述べる。
【００７０】
［表示画面］
図４〜図９は、本実施形態における表示部１９２における表示例である。
【００７１】
図４に示すように、ウィンドウ４００は、領域４１０，４２０，４３０を備えている。具体的には領域４３０の上に領域４１０と領域４２０とが隣り合っている。なお、表示例はこれに限定されるものではなく、領域４３０の下に領域４１０と領域４２０が隣り合うようにしてもよい。また、図４に示す例では領域４１０が領域４２０に対して左に位置するが、これに限定されるものではなく、領域４２０が領域４１０に対して左に配置されるようにしてもよい。さらに、図４に示す例ではウィンドウ４００は３つの領域を備えることとしているが、これに限定されるものではなく、４以上の領域を備えることとしてもよいし、２以下の領域を備えることとしてもよい。
【００７２】
領域４３０には断層画像４３１が表示され、領域４１０には眼底画像４１１が表示される。すなわち、断層画像表示領域の上または下に眼底画像表示領域が位置する。
【００７３】
また、領域４２０には装置に関する情報、被検者に関する情報等が表示される。図４に示すように、領域４３０の横幅は領域４１０，４２０の横幅よりも長くなっている。また、断層画像４３１の横幅は眼底画像４１１の横幅に比べて長くなっている。すなわち、断層画像表示領域の横幅は眼底画像表示領域の横幅より長くなっている。図４に示す例では、領域４１０の横幅と領域４２０の横幅との合計と領域４３０の横幅とが等しくなっているがこれに限定されるものではない。なお、断層画像４３１および眼底画像４１１は制御部１９１により表示部１９２に表示される。すなわち、制御部１９１は眼底画像を表示手段の第１の領域に表示させるとともに、断層画像を第１の領域の上または下に位置するとともに第１の領域よりも水平方向において広い領域である表示手段の第２の領域に表示させる表示制御手段の一例に相当する。
【００７４】
図４に示すように、他の領域４１０，４２０に比べて横幅が広くなっている領域４３０に断層画像表示領域を設け断層画像４３１を表示している。従って、断層画像４３１を他の領域に表示される画像よりも横幅を広く表示させることが可能であり、第一のＯＣＴ（第一の中心波長の撮影光を使用する）のように撮影範囲が広い断層画像の縮小率を低くして、または、縮小することなく断層画像４３１を表示できる。すなわち、広画角の断層画像であっても観察しやすくなる。
【００７５】
なお、第一のＯＣＴ１００（第一の中心波長の撮影光を使用する）は、深い撮像領域を持つため、本実施形態では、一例として、断層像表示領域に合わせてコヒーレンスゲート位置から所定の深さ（図における縦方向の長さ）の断層画像を切り出して表示している。
【００７６】
ここで、制御部１９１は選択されたＯＣＴに応じて表示領域の広さを自動的に切り替えるものとする。
【００７７】
制御部１９１は、断層画像を切り出した結果、断層画像に含まれる断層自体の画像が断層画像表示領域の縦方向を規定する線と交差すると判断された場合は、図７に示すように指示領域４３３を表示する。図７の状態において、領域４３３が操作者により指示、例えばクリックされた場合、制御部１９１は図８に示すように断層画像表示領域を拡張し、断層画像全体をより表示する構成としてもよい。その結果、断層画像４３２よりも深さ方向において広い断層画像４３４が表示される。別の観点から見れば、断層自体の画像が断層画像表示領域の縦方向を規定する線と交差すると判断された場合は、制御部１９１は領域４３０を拡張している。なお、図８において、指示領域４３５が指示されると、図７の状態に戻る。また、図８において、眼底画像４１１に領域４３０を重ねて表示したが、眼底画像４１１を縮小して表示することにより、眼底画像４１１と領域４３０とが重ならないようにしても良い。すなわち、眼底画像表示領域を縮小することとしてもよい。
【００７８】
なお、指示領域４３３が指示された場合、断層画像４３２の表示されていなかった部分を表示部１９２に表示させるように、断層画像表示領域をウィンドウ４００全体に拡張することとしても良い。さらに、ウィンドウ４００全体に表示された断層画像の一部が選択された場合、制御部１９１は選択された部分を含む断層画像を切り出して、図７の表示状態に戻ることとしてもよい。すなわち、制御部１９１は選択された部分を含む断層画像を断層画像４３２として図７のように表示させる。このようにすれば検査者は容易に所望の位置の断層画像を表示させることが可能となる。上記の例では、指示領域４３３、４３５を指示することで表示形式が変更されることとしたが、これに限定されるものではなく、断層画像４３２自体が例えばダブルクリックされた場合に表示形式の変更を行うこととしてもよい。
【００７９】
また、制御部１９１によって断層画像４３２に含まれる断層自体の画像が断層画像表示領域の縦方向を規定する線と交差すると判断された場合、指示領域４３３を表示しなくてもよい。この場合、制御部１９１は自動的に断層画像４３２が断層画像４３４となるように断層画像表示領域を拡張してもよい。すなわち、制御部１９１は、断層画像に含まれる被検眼の眼底組織の画像が第２の領域の上端に接する場合には第２の領域を拡張し、拡張された第２の領域に断層画像を表示させる。また、この場合、眼底画像４１１に領域４３０が重ならないように眼底画像４１１を縮小するようにする。すなわち、第２の領域が拡張された場合、第１の領域および眼底画像は縮小される。このようにすれば、指示領域４３３，４３５は不要となる。
【００８０】
なお、領域の拡大に代えて、図９に示すように、断層画像をスクロールさせるための領域９０１、９０２が断層画像に付加され、これを指示することにより断層画像をスクロールする構成としても良い。図９（Ｂ）は、図９（Ａ）に示した状態から上方向にスクロールを行った場合の表示例を示す図である。なお、領域９０１，９０２の付加は制御部１９１により行われる。なお、制御部１９１によって断層画像４３２に含まれる断層自体の画像が断層画像表示領域の縦方向を規定する線と交差するとされた場合のみ領域９０１，９０２の付加を行ってもよいし、常に領域９０１，９０２の付加を行っても良い。このように、表示制御手段は断層画像に含まれる被検眼の眼底組織の画像が第２の領域の上端に接する場合には表示手段に表示された断層画像を垂直方向にスクロール可能なスクロールバーを表示させる。また、選択されたＯＣＴが第一のＯＣＴ１００である場合にはクロールバーの移動による断層画像のスクロール速度を、第二のＯＣＴ１４０より上げる。これにより深さ方向の幅が広い場合にも対応できる。更に第二のＯＣＴ１４０が選択されている場合には、第一のＯＣＴ１００が選択されている場合よりも低速であるので高解像度の画像の観察には適するものである。
【００８１】
図５は、３Ｄ撮像モードで撮像された断層画像が、領域４３０に断層画像４３８が表示されている。第一のＯＣＴ１００あるいは第二のＯＣＴ１４０は、矩形４１６で設定された領域の情報を３次元データとして取得し、制御部１９１は、この矩形４１６の中心付近の１枚の断層画像４３８を表示部１９２に表示させる。なお、断層画像４３８は矩形４１６の中心付近の断層像に限定されるものではなく、矩形４１６の端部の断層画像であってもよい。
【００８２】
なお、図５に示す表示に代えて、図６に示す表示としても良い。図６において断層画像４２１の外枠で規定される領域は眼底画像表示領域の右に位置するがこれに限定されるものではなく、眼底画像表示領域の左に位置することとしてもよい。また、断層画像４２１の外枠で規定される領域は断層画像表示領域の上に位置するがこれに限定されるものではなく、断層画像表示領域の下に位置してもよい。さらに、断層画像４２１の外枠で規定される領域は断層画像表示領域よりも水平方向において狭い領域となっている。すなわち、断層画像４２１の外枠で規定される領域は第１の領域の左または右に位置するとともに第２の領域よりも水平方向において狭い領域である第３の領域の一例に相当する。この場合、断層画像の表示領域が少なくてすみ、装置に関する情報等を広い領域に表示することができ、図４と図６の表示状態とすることで表示領域を有効に活用できる。なお、制御部１９１は、撮像範囲に応じて図４に示す表示と図６に示す表示とを切り換えることとしてもよい。すなわち、第一のＯＣＴ１００（撮影光が第一の中心波長）が選択されていれば断層画像を図４のように表示し、第一のＯＣＴ１４０が選択されていれば断層画像を図６のように表示してもよい。すなわち、表示制御手段は選択されたＯＣＴ（撮影光の中心波長）に応じて断層画像を表示する領域を決定する。
【００８３】
断層画像が視神経乳頭および黄斑の両方を含んでいるか片方のみを含んでいるかに基づいて、断層画像を表示する領域を変更することとしても良い。例えば、制御部１９１は、断層画像が視神経乳頭および黄斑の両方を含んでいる場合、図４のように断層画像を表示し、断層画像が視神経乳頭および黄斑の一方のみを含む断層画像である場合、図６のように断層画像を表示する。すなわち、表示制御手段は、断層画像が被検眼の視神経乳頭および黄斑を含んでいる場合には第１の領域に断層像を表示させ、断層画像が視神経乳頭および黄斑の一方のみを含んでいる場合には第１の領域の左または右に位置するとともに第２の領域よりも水平方向において狭い領域である第３の領域に表示させる。
【００８４】
このようにすれば、選択されたＯＣＴまたは断層画像に含まれる視神経乳頭および黄斑等の特徴的な部位に応じて表示する領域を決定するため、表示画面の領域を有効に利用することが可能となる。
【００８５】
以上説明のように本実施形態によれば、ＳＳ−ＯＣＴ等で取得した広画角の断層画像を効率的に提示することができる。また、予め用意された断層画像の表示領域に断層画像を表示しきれない場合は、領域を拡大して断層画像を表示するため、分解能を落とすことなくまたは分解能の低下を抑止して断層画像を表示することができる。更に、予め用意された断層画像の表示領域に断層画像を表示しきれない場合は、領域をスクロールして断層画像を表示するため、観察したい部分の断層画像を表示することができる。
【００８６】
（変形例１）
制御部１９１は、第二のＯＣＴ１４０を構成する代わりに、あるいは加えて波長の異なる光源を第一のＯＣＴ１００の光源として複数用意して切り替えるように構成する。そして、第二のＯＣＴ１４０を選択する場合と同様に単波長の光源を選択する制御をする。
【００８７】
（変形例２）
制御部１９１は、第二のＯＣＴ１４０を構成する代わりに、あるいは加えて第一のＯＣＴ１００の光源の中心波長を変更する制御をする。
【００８８】
（その他の実施形態）
本件は上記の実施形態に限定されるものではなく、本件の趣旨を逸脱しない範囲内において、種々の変形、変更して実施することができる。
【００８９】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2013208393.tif 000003
【図２】
2013208393.tif 000004
【図３】
2013208393.tif 000005
【図４】
2013208393.tif 000006
【図５】
2013208393.tif 000007
【図６】
2013208393.tif 000008
【図７】
2013208393.tif 000009
【図８】
2013208393.tif 000010
【図９】
2013208393.tif 000011